【手続補正書】
【提出日】平成24年9月28日(2012.9.28)
【手続補正１】
【補正対象書類名】特許請求の範囲
【補正対象項目名】全文
【補正方法】変更
【補正の内容】
【特許請求の範囲】
【請求項１】
部分画像に対応付けて動画像を記憶する画像記憶手段と、
静止画像を取得する静止画取得手段と、
この静止画取得手段により取得された静止画像の中に前記画像記憶手段により記憶された部分画像が含まれるか判断する画像判断手段と、
この画像判断手段により前記静止画像の中に前記部分画像が含まれると判断された場合に、当該部分画像に対応付けられて前記画像記憶手段により記憶されている動画像を、前記静止画像に合成して一連の合成画像を生成する合成画像生成手段と、
を備えたことを特徴とする画像合成装置。
【請求項２】
前記画像記憶手段は、複数種類の部分画像にそれぞれ対応付けた動画像を記憶し、
前記画像記憶手段により記憶された複数種類の部分画像のうちユーザ操作に応じた部分画像を指定する部分画像指定手段を備え、
前記画像判断手段は、前記静止画取得手段により取得された静止画像の中に前記部分画像指定手段により指定された部分画像が含まれるか判断する、
ことを特徴とする請求項１に記載の画像合成装置。
【請求項３】
前記画像記憶手段は、外部機器のユーザ操作に応じて受信された部分画像と当該部分画像に対応付けられた動画像を記憶する、
ことを特徴とする請求項１に記載の画像合成装置。
【請求項４】
前記静止画取得手段により取得された静止画像を外部機器に出力した後に、前記合成画像生成手段により生成された一連の合成画像を同外部機器に順次出力する合成画像出力手段を更に備えたことを特徴とする請求項１ないし請求項３の何れか１項に記載の画像合成装置。
【請求項５】
前記合成画像出力手段は、
前記静止画取得手段により取得された静止画像を外部機器に出力した後に、当該外部機器において前記静止画像に含まれる前記部分画像が指定されたか判断する部分画像指定判断手段を有し、
この部分画像指定判断手段により前記静止画像に含まれる前記部分画像が指定されたと判断された場合に、前記合成画像生成手段により生成された一連の合成画像を前記外部機器に順次出力する、
ことを特徴とする請求項４に記載の画像合成装置。
【請求項６】
前記合成画像出力手段は、
前記静止画取得手段により取得された静止画像を外部機器に出力した後に一定時間が経過したか判断する時間経過判断手段を有し、
この時間経過判断手段により前記静止画像を出力した後に一定時間が経過したと判断された場合に、前記合成画像生成手段により生成された一連の合成画像を前記外部機器に順次出力する、
ことを特徴とする請求項４に記載の画像合成装置。
【請求項７】
コンピュータを、
部分画像に対応付けた動画像をメモリに記憶させる画像記憶手段、
静止画像を取得する静止画取得手段、
この静止画取得手段により取得された静止画像の中に前記画像記憶手段により記憶された部分画像が含まれるか判断する画像判断手段、
この画像判断手段により前記静止画像の中に前記部分画像が含まれると判断された場合に、当該部分画像に対応付けられて前記画像記憶手段により記憶されている動画像を、前記静止画像に合成して一連の合成画像を生成する合成画像生成手段、
として機能させるためのコンピュータ読み込み可能なプログラム。 
【手続補正２】
【補正対象書類名】明細書
【補正対象項目名】発明の名称
【補正方法】変更
【補正の内容】
【発明の名称】画像合成装置、およびプログラム
【手続補正３】
【補正対象書類名】明細書
【補正対象項目名】００１２
【補正方法】変更
【補正の内容】
【００１２】
本発明は、このような課題に鑑みなされたもので、特別面倒な操作を行う必要なく、静止画像に含まれる特定の画像に応じた動画像を自動で合成し、当該画像の閲覧者が、同画像内に注目すべき事物が存在することを簡単且つ楽しく明確に知ることが可能になる画像合成装置、およびそのプログラムを提供することを目的とする。
【手続補正４】
【補正対象書類名】明細書
【補正対象項目名】００１３
【補正方法】変更
【補正の内容】
【００１３】
請求項１に記載の画像合成装置は、部分画像に対応付けて動画像を記憶する画像記憶手段と、静止画像を取得する静止画取得手段と、この静止画取得手段により取得された静止画像の中に前記画像記憶手段により記憶された部分画像が含まれるか判断する画像判断手段と、この画像判断手段により前記静止画像の中に前記部分画像が含まれると判断された場合に、当該部分画像に対応付けられて前記画像記憶手段により記憶されている動画像を、前記静止画像に合成する合成手段と、を備えたことを特徴としている。
【手続補正５】
【補正対象書類名】明細書
【補正対象項目名】００１４
【補正方法】変更
【補正の内容】
【００１４】
請求項２に記載の画像合成装置は、前記請求項１に記載の画像合成装置において、前記画像記憶手段は、複数種類の部分画像にそれぞれ対応付けた動画像を記憶し、前記画像記憶手段により記憶された複数種類の部分画像のうちユーザ操作に応じた部分画像を指定する部分画像指定手段を備え、前記画像判断手段は、前記静止画取得手段により取得された静止画像の中に前記部分画像指定手段により指定された部分画像が含まれるか判断する、ことを特徴としている。
【手続補正６】
【補正対象書類名】明細書
【補正対象項目名】００１５
【補正方法】変更
【補正の内容】
【００１５】
請求項３に記載の画像合成装置は、前記請求項１に記載の画像合成装置において、前記画像記憶手段は、外部機器のユーザ操作に応じて受信された部分画像と当該部分画像に対応付けられた動画像を記憶する、ことを特徴としている。
請求項４に記載の画像合成装置は、前記請求項１ないし請求項３の何れか１項に記載の画像合成装置において、前記静止画取得手段により取得された静止画像を外部機器に出力した後に、前記合成手段により合成された画像を同外部機器に順次出力する合成画像出力手段を更に備えたことを特徴としている。
【手続補正７】
【補正対象書類名】明細書
【補正対象項目名】００１６
【補正方法】変更
【補正の内容】
【００１６】
請求項５に記載の画像合成出力装置は、前記請求項４に記載の画像合成出力装置において、前記合成画像出力手段は、前記静止画取得手段により取得された静止画像を外部機器に出力した後に、当該外部機器において前記静止画像に含まれる前記部分画像が指定されたか判断する部分画像指定判断手段を有し、この部分画像指定判断手段により前記静止画像に含まれる前記部分画像が指定されたと判断された場合に、前記合成画像生成手段により生成された一連の合成画像を前記外部機器に順次出力する、ことを特徴としている。
【手続補正８】
【補正対象書類名】明細書
【補正対象項目名】００１７
【補正方法】変更
【補正の内容】
【００１７】
請求項６に記載の画像合成出力装置は、前記請求項４に記載の画像合成出力装置において、前記合成画像出力手段は、前記静止画取得手段により取得された静止画像を外部機器に出力した後に一定時間が経過したか判断する時間経過判断手段を有し、この時間経過判断手段により前記静止画像を出力した後に一定時間が経過したと判断された場合に、前記合成画像生成手段により生成された一連の合成画像を前記外部機器に順次出力する、ことを特徴としている。
【手続補正９】
【補正対象書類名】明細書
【補正対象項目名】００１８
【補正方法】変更
【補正の内容】
【００１８】
請求項７に記載のプログラムは、電子機器のコンピュータを制御するためのプログラムであって、前記コンピュータを、部分画像に対応付けた動画像をメモリに記憶させる画像記憶手段、外部機器から静止画像を取得する静止画取得手段、この静止画取得手段により取得された静止画像の中に前記画像記憶手段により記憶された部分画像が含まれるか判断する画像判断手段、この画像判断手段により前記静止画像の中に前記部分画像が含まれると判断された場合に、当該部分画像に対応付けられて前記画像記憶手段により記憶されている動画像を、前記静止画像に合成して一連の合成画像を生成する合成画像生成手段、前記静止画取得手段により取得された静止画像を外部機器に出力した後に、前記合成画像生成手段により生成された一連の合成画像を同外部機器に順次出力する合成画像出力手段、として機能させることを特徴としている。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
本発明によれば、特別面倒な操作を行う必要なく、静止画像に含まれる特定の画像に応じた動画像を自動で合成し、当該画像の閲覧者が、同画像内に注目すべき事物が存在することを簡単且つ楽しく明確に知ることが可能になる画像合成装置、およびそのプログラムを提供できる。